(57)【要約】【課題】作業者が快適に使用することができるものとする。【解決手段】回転動力源の回転を減速して駆動軸３に伝達する減速機構２、該減速機構２を支持する保持ブロック１７、上記駆動軸の外周に配されたハンマー５、駆動軸の外周面に形成されたカム溝３ａとハンマーの内周面に形成されたカム溝５ａの両者に係合する鋼球４、ハンマーと回転方向において係合自在なアンビル８、ハンマーをアンビル側に向けて付勢するスプリング９、これらを内部に納めたハウジング１８、ハンマーの軸方向後退量を制限する制限部材を備え、制限部材を兼ねた保持ブロックとハウジングとの軸方向間に弾性体１９を配している。ハンマーとアンビルとの衝突時の反力でハンマーが後退して保持ブロックに衝突してもハウジングへの衝撃は弾性体で緩和される。【選択図】図１
2006175553.tif 000002
【特許請求の範囲】
【請求項１】
回転動力源と、回転動力源の回転を減速して駆動軸に伝達する減速機構と、該減速機構を支持する保持ブロックと、上記駆動軸の外周に配されたハンマーと、駆動軸の外周面に形成されたカム溝とハンマーの内周面に形成されたカム溝の両者に係合する鋼球と、ハンマーと回転方向において係合自在なアンビルと、ハンマーをアンビル側に向けて付勢するスプリングと、これらを内部に納めたハウジングと、ハンマーの軸方向後退量を制限する制限部材とを備えたインパクト回転工具において、上記制限部材を兼ねた前記保持ブロックとハウジングとの軸方向間に弾性体を配していることを特徴とするインパクト回転工具。
【請求項２】
保持ブロックとハンマーとの間に弾性材からなるスペーサを配置していることを特徴とする請求項１記載のインパクト回転工具。
【請求項３】
スプリングは保持ブロック側の径が小さくなる円錐状であり、スペーサは上記スプリングの保持ブロック側の外周に配設されていることを特徴とする請求項２記載のインパクト回転工具。
【発明の詳細な説明】
【技術分野】
【０００１】
本発明は、インパクト回転工具、殊に駆動軸とハンマーとの間の回転伝達を両者に設けたカム溝に係合させた鋼球で行っているインパクト回転工具に関するものである。
【背景技術】
【０００２】
インパクト回転工具として、回転駆動される駆動軸の外周面にカム溝を設けるとともに、駆動軸の外周に遊嵌したハンマーの内周面にカム溝を設けて、両カム溝に鋼球を係合させることで、駆動軸の回転が鋼球を介してハンマーに伝達されるようにするとともに、ハンマーが駆動軸に対して上記カム溝と鋼球とで誘導されて前進且つ回転する時に、出力ビットを備えたアンビルに回転打撃を与えるようにしたものがある。
【０００３】
このものにおいて、ボルトナットの締付のように負荷が大きい作業を行う時、ハンマーとアンビルとの衝突の際のハンマーへの反力が大きい時、駆動軸とハンマーの両カム溝の端部壁に鋼球が接触する状態までハンマーが後退して、端部壁に衝撃力が負荷されることがある。この時、駆動軸におけるＶ字形をしたカム溝は複数設けていることから、カム溝で挟まれた部分（端部壁）は薄肉となってしまっており、上記衝撃は端部壁を破損させてしまうことがある上に、その破片が駆動軸外周とハンマー内周との摺動部に噛みこんだりすると、駆動軸とハンマーの摺動部が焼付いて工具動作が停止してしまう。
【０００４】
このような事態を避けるために、特開２０００−２５４８７１号公報には、ハンマーの後退量を制限することで、鋼球が駆動軸のカム溝の端部壁にまで移動することがないようにしたものが示されている。
【特許文献１】特開２０００−２５４８７１号公報
【発明の開示】
【発明が解決しようとする課題】
【０００５】
しかし、上記公報に示されたものではハンマーの後退量の制限を駆動軸外周に配したスペーサで行っていることから、ハンマーが上記反力で後退してスペーサに当たる衝撃はスペーサを支持するハウジングを介して作業者に伝わり、作業者に不快感を及ぼす。
【０００６】
また、上記スペーサとハウジング間には減速機構が存在していることから、減速機構の疲労破壊を招く虞もあるほか、ハンマーとスペーサとの衝突音が騒音となる。
【０００７】
本発明は上記の従来の問題点に鑑みて発明したものであって、作業者が快適に使用することができるインパクト回転工具を提供するにある。
【課題を解決するための手段】
【０００８】
上記課題を解決するために本発明に係るインパクト回転工具は、回転動力源と、回転動力源の回転を減速して駆動軸に伝達する減速機構と、該減速機構を支持する保持ブロックと、上記駆動軸の外周に配されたハンマーと、駆動軸の外周面に形成されたカム溝とハンマーの内周面に形成されたカム溝の両者に係合する鋼球と、ハンマーと回転方向において係合自在なアンビルと、ハンマーをアンビル側に向けて付勢するスプリングと、これらを内部に納めたハウジングと、ハンマーの軸方向後退量を制限する制限部材とを備えたインパクト回転工具において、上記制限部材を兼ねた前記保持ブロックとハウジングとの軸方向間に弾性体を配していることに特徴を有している。
【０００９】
ハンマーとアンビルとの衝突時の反力でハンマーが後退して制限部材である保持ブロックに衝突してもハウジングへの衝撃は弾性体で緩和されるようにしたものである。
【００１０】
保持ブロックとハンマーとの間に弾性材からなるスペーサを配置していてもよい。保持ブロックとハンマーとの衝突そのものを緩和することができる。
【００１１】
この時、前記スプリングは保持ブロック側の径が小さくなる円錐状のものとして、スペーサは上記スプリングの保持ブロック側の外周に配設すれば、スペーサの配置スペースを別途必要とすることがない。
【発明の効果】
【００１２】
本発明においては、弾性体によってハウジングへの衝撃伝達が緩和されるために、ハウジングを持つ作業者には衝撃が直接伝わることはなく、作業者は快適に作業を行うことができる。
【発明を実施するための最良の形態】
【００１３】
以下、本発明を添付図面に示す実施形態に基いて説明すると、図１において、回転動力源であるモータの出力軸１には遊星機構からなる減速機構２を介して駆動軸３に接続されている。上記減速機構２はギアケースである保持ブロック１７によって回転方向及ぴ軸方向に固定されており、保持ブロック１７はハウジング１８により同様に保持されている。
【００１４】
駆動軸３の外周にはスプリング９によって前方へと付勢されているハンマー５が遊嵌されている。そして駆動軸３の外周面にはＶ字状の対称な螺旋を有してなるカム溝３ａ，３ａが形成されており、ハンマー５の内周面にはカム溝５ａ，５ａが形成されていて、カム溝３ａとカム溝５ａとの両者に係合する鋼球４が配設されている。駆動軸３の回転はこの鋼球４を介してハンマー５に伝達される。このハンマー５は前方に向けて突出する係止爪６，６を備えている。
【００１５】
ハンマー５を覆うハンマーケース７先端に軸支されたアンビル８は、その先端に出力ビット装着用のチャックを備えるとともに、後端側にハンマー５の係止爪６，６と回転係合するアーム部８ａ，８ａを備えたものであり、通常時はハンマー５の係止爪５ａ，５ａとアンビル８のアーム部８ａ，８ａとの係合により、駆動軸３の回転がハンマー５を介してアンビル８に伝達される。図中１８はハウジングであり、モータと保持ブロック１７及びハンマーケース７はハウジング１８によって保持されている。
【００１６】
そして作業負荷が大となった時には、係止爪５ａ，５ａとアーム部８ａ，８ａとの係合当接面の角度の関係でハンマー５がスプリング９に抗して後退し、アーム部８ａを乗り越えた時点でスプリング９のばね力によってハンマー５が前進するとともに、カム溝５ａの傾斜によって駆動軸３よりも早い速度で回転してアンビル８を打撃する。この打撃によって大きいトルクをアンビル８に加えることができる。
【００１７】
そして、ハンマー５とアンビル８との衝突時の反力でハンマー５が後退する時、このものにおいても、ハンマー５の後退量を制限することで、図２に示すように鋼球４が駆動軸３のカム溝３ａの端部壁にまで至ることがないようにして、端部壁の破損を防いでいるのであるが、上記後退量の制限を保持ブロック１７で行っているとともに、保持ブロック１７とハウジング１８との軸方向間には弾性体１９を配置している。この弾性体１９は、上記反力でハンマー５が後退して保持ブロック１８に衝突する時の衝撃を吸収してハウジング１８に伝わる衝撃を緩和し、ハウジング１８を持つ作業者に衝撃による不快感が生じないようにしている。
【００１８】
また、ここでは保持ブロック１７の外周部先端部に弾性体からなるスペーサ２０を配置して、ハンマー５はこのスペーサ２０に衝突するようにしていることから、ハンマー５と保持ブロック１７との衝突で生じる衝撃そのものが緩和されているために、作業者が感じる衝撃は更に少なくなっているとともに、保持ブロック１７及び減速機構２にかかる負荷が小さくなっている。また、スペーサ２０が弾性体で形成されているために、保持ブロック１７が強度等の関係で金属製である時も、ハンマー５との衝突の際に生じる騒音がスペーサ２０で低減されるものであり、この点においても作業者が不快感を感じることが少なくなっているものである。
【００１９】
更に、ハンマー５を付勢するスプリング９を円錐コイルばねで形成するとともに、小径側を保持ブロック１７とし、スペーサ２０がこの小径側の外周に位置するようにしているために、スペーサ２０の配置スペースを別途必要としないものとなっている。
【図面の簡単な説明】
【００２０】
【図１】本発明の実施の形態の一例の断面図である。
【図２】同上のカム溝とハンマー後退時の鋼球の最大後退位置とを示す説明図である。
【符号の説明】
【００２１】
１  モータ軸
２  減速機構
３  駆動軸
３ａ  カム溝
４  鋼球
５  ハンマー
５ａ  カム溝
８  アンビル
９  スプリング
１７  保持ブロック
１８  ハウジング
１９  弾性体
【図１】
2006175553.tif 000003
【図２】
2006175553.tif 000004